(57)【要約】【課題】複数の半導体素子をハイブリッドに集積化してなる半導体装置において、製造時にＦＳＡ法を用いながらも、各半導体素子を容易に且つ確実に実装できるようにする。【解決手段】複数の半導体レーザ素子における配置パターンと対応する位置にそれぞれ開口部３０ａ、３０ｂを有するテンプレート３０を形成し、その後、各半導体レーザ素子を配置する実装用のウエハ１０Ａの主面上にテンプレート３０を保持する。続いて、複数の半導体レーザ素子を液体中に分散し、複数の半導体レーザ素子が分散した液体をテンプレート３０が保持されたウエハ１０Ａの上に流すことにより、複数の半導体レーザ素子をテンプレート３０の各開口部３０ａ、３０ｂにそれぞれ自己整合的に嵌め込む。【選択図】　　　　図２
2004119845.tif 000002
【特許請求の範囲】
【請求項１】
チップ状の複数の半導体素子における配置パターンと対応する位置にそれぞれ開口部を有するテンプレートを形成する第１の工程と、
前記複数の半導体素子を配置する基板の主面上に前記テンプレートを保持する第２の工程と、
前記複数の半導体素子を液体中に分散し、前記複数の半導体素子が分散した液体を前記テンプレートが保持された基板の上に流すことにより、前記複数の半導体素子を前記テンプレートの各開口部にそれぞれ自己整合的に嵌め込む第３の工程とを備えていることを特徴とする半導体装置の製造方法。
【請求項２】
前記第３の工程において、前記液体は、前記テンプレートが保持された基板をその主面内で回転させながら流すことを特徴とする請求項１に記載の半導体装置の製造方法。
【請求項３】
前記第２の工程よりも前に、
前記基板の主面上における前記各半導体素子が配置される部分に、前記各半導体素子に対してそれぞれ電気的な導通を図る複数の基板電極を形成する第４の工程をさらに備えていることを特徴とする請求項１又は２に記載の半導体装置の製造方法。
【請求項４】
前記第２の工程と前記第３の工程との間に、
前記基板の主面上における前記テンプレートの各開口部から露出する部分に、前記各半導体素子に対してそれぞれ電気的な導通を図る複数の基板電極を形成する第４の工程をさらに備えていることを特徴とする請求項１又は２に記載の半導体装置の製造方法。
【請求項５】
前記第３の工程よりも後に、
前記各半導体素子を前記基板電極にそれぞれ固着した後、前記テンプレートを前記基板から取り除く第５の工程をさらに備えていることを特徴とする請求項３又は４に記載の半導体装置の製造方法。
【請求項６】
前記各半導体素子は、レーザ光を端面から出射する端面出射型の半導体レーザ素子であり、
前記第１の工程において、前記テンプレートの各開口部は、前記各半導体レーザ素子の出射方向が一方向に揃うように形成することを特徴とする請求項１〜５のうちのいずれか１項に記載の半導体装置の製造方法。
【請求項７】
前記各半導体レーザ素子は、前端面からの光出力値と後端面からの光出力値とが同等であることを特徴とする請求項６に記載の半導体装置の製造方法。
【請求項８】
前記第１の工程において、前記テンプレートの各開口部は、前記各半導体素子が嵌め込まれる面側の形状に合わせて形成することを特徴とする請求項１に記載の半導体装置の製造方法。
【請求項９】
前記各半導体素子は、前記開口部に嵌め込まれる面側の形状が互いに異なることを特徴とする請求項８に記載の半導体装置の製造方法。
【請求項１０】
前記複数の半導体素子はそれぞれ半導体発光素子であり、
前記第１の工程において、前記テンプレートの各開口部は、前記各半導体発光素子における発光波長ごとに異なる形状とすることを特徴とする請求項９に記載の半導体装置の製造方法。
【請求項１１】
前記複数の半導体素子はそれぞれ半導体発光素子であり、
前記第１の工程において、前記テンプレートの各開口部は、前記各半導体発光素子における光出力値ごとに異なる形状とすることを特徴とする請求項９に記載の半導体装置の製造方法。
【発明の詳細な説明】
【０００１】
【発明の属する技術分野】
本発明は、半導体装置、特に半導体レーザ装置等の半導体発光装置を自己整合的に実装可能な半導体装置の製造方法に関する。
【０００２】
【従来の技術】
一般的なデジタルヴァーサタイルディスク（以下、ＤＶＤと呼ぶ。）用の再生装置は、ＤＶＤだけでなく、コンパクトディスク（以下、ＣＤと呼ぶ。）の再生機能と、近年急速に普及した追記型ＣＤ（ＣＤ−Ｒ）の再生及び記録機能とが共に必要とされる。
【０００３】
ＤＶＤを再生する再生光には、６５０ｎｍ帯の波長を有する赤色レーザ光が用いられ、一方、ＣＤ又はＣＤ−Ｒを再生する再生光には、７８０ｎｍ帯の波長を有する赤外レーザ光が用いられる。従って、現状のＤＶＤ再生装置には、赤色レーザ光を生成する赤色半導体レーザ素子と、赤外レーザ光を生成する赤外半導体レーザ素子との２つの半導体レーザ素子がアレイ状に搭載されている。
【０００４】
近年、パーソナルコンピュータ等の情報機器に対する小型化の要望に伴い、ＤＶＤ再生装置も小型化と薄型化とを進展させる必要がある。これを実現するためには、光ピックアップの小型化及び薄型化が必要不可欠となる。光ピックアップの小型化及び薄型化の方法として、光学系の簡素化が挙げられる。
【０００５】
光学系の簡素化の方法の１つとして、赤色半導体レーザ素子と赤外半導体レーザ素子との集積化が考えられる。現状のＤＶＤ再生装置は、赤色半導体レーザ素子用及び赤外半導体レーザ素子用の２つの光学系部品から構成されており、それを赤色と赤外との２つの半導体レーザ素子を集積化することにより、光学系部品を共有することが可能となり、光ピックアップの小型化及び薄型化が実現できる。
【０００６】
例えば、赤色半導体レーザ素子及び赤外半導体レーザ素子の集積化の例として、
【特許文献１】には、１つの基板上に集積された、いわゆるモノリシック型の半導体レーザ素子アレイが開示されている。
【０００７】
また、赤色用と赤外用との２つの半導体レーザチップをハイブリッドに集積化することにより２つの光学系部品を共有する光ピックアップの例が、
【特許文献２】及び
【特許文献３】に開示されている。
【０００８】
ところが、前記従来のモノリシック型の２波長レーザ素子アレイは、各レーザ素子における活性層の組成が互いに異なるため、成長工程を別々に実施しなければならず、歩留まりが低いという問題がある。特に高出力のレーザ素子をモノリシックに集積する場合は、歩留まりの低下が顕著となる。
【０００９】
さらに、高密度ＤＶＤに用いられる窒化ガリウム（ＧａＮ）系の青色レーザ素子と燐化アルミニウムガリウムインジウム（ＡｌＧａＩｎＰ）系の赤色レーザ素子とをモノリシックに集積化することは、結晶成長の観点から極めて困難である。
【００１０】
また、前記従来のハイブリッド型の光ピックアップは、組立装置を用いて、赤色半導体レーザチップと赤外半導体レーザチップとを組み立てる際に、各半導体レーザチップの活性層の位置及び発光点の間隔を調整して最適化することが困難であるという問題を有している。
【００１１】
ところで、近年、デバイスの実装方法の一つとして、Ｆｌｕｉｄｉｃ　Ｓｅｌｆ−Ａｓｓｅｍｂｌｙ（以下、ＦＳＡと呼ぶ。）法を用いた実装方法が開発されている。
【００１２】
ＦＳＡ法は、十μｍ〜数百μｍの大きさで且つ所定の形状を有するデバイス（以下、「機能ブロック」と呼ぶ。）を液体中に分散させたスラリ状とし、このスラリ状の液（懸濁液）を、機能ブロックとほぼ同じ大きさと形状とを有するリセス部が形成された、例えばシリコンからなる基板の表面に流し込み、液体中に分散した機能ブロックをリセス部に嵌め込むことにより、機能ブロックの基板への実装を行なう方法である。
【００１３】
ＦＳＡ法は、例えば
【特許文献４】〜
【特許文献７】等に開示されている。
【００１４】
【特許文献１】
特開平１１−１８６６５１号公報（第１図）
【特許文献２】
特開平１１−１４４３０７号公報
【特許文献３】
特開平１１−１４９６５２号公報
【特許文献４】
米国特許第５５４５２９１号明細書
【特許文献５】
米国特許第５７８３８５６号明細書
【特許文献６】
米国特許第５８２４１８６号明細書
【特許文献７】
米国特許第５９０４５４５号明細書
【００１５】
【発明が解決しようとする課題】
しかしながら、前記従来のＦＳＡ法は、基板に機能ブロックを嵌め込むためのエッチングによるリセス構造の形成が容易ではなく、実装用基板の生産性が低いという問題がある。
【００１６】
本発明は、複数の半導体素子をハイブリッドに集積化してなる半導体装置において、製造時にＦＳＡ法を用いながらも、各半導体素子を容易に且つ確実に実装できるようにすることを目的とする。
【００１７】
【課題を解決するための手段】
前記の目的を達成するため、本発明は、半導体装置の製造方法を、複数の半導体素子を嵌め込むためのリセス構造を基板自体に設けるのではなく、各半導体素子の配置パターンと対応する位置にそれぞれ開口部を設けたテンプレートにおける開口部に嵌め込む構成とする。
【００１８】
具体的に、本発明に係る半導体装置の製造方法は、チップ状の複数の半導体素子における配置パターンと対応する位置にそれぞれ開口部を有するテンプレートを形成する第１の工程と、複数の半導体素子を配置する基板の主面上にテンプレートを保持する第２の工程と、複数の半導体素子を液体中に分散し、複数の半導体素子が分散した液体をテンプレートが保持された基板の上に流すことにより、複数の半導体素子をテンプレートの各開口部にそれぞれ自己整合的に嵌め込む第３の工程とを備えている。
【００１９】
本発明の半導体装置の製造方法によると、チップ状の複数の半導体素子における配置パターンと対応する位置にそれぞれ開口部を有するテンプレートを形成し、形成したテンプレートを半導体素子を配置する基板の主面上に保持するため、半導体素子を配置する基板の主面上に該半導体素子を嵌め込むリセス構造を直接に設ける必要がなくなる。このように、半導体素子を嵌め込む開口部を有するテンプレートを用いることから、形成が困難なリセス構造を基板に形成する必要がなくなるため、複数の半導体素子をハイブリッドに集積化する半導体装置を容易に且つ確実に実装できるようになる。
【００２０】
本発明の半導体装置の製造方法は、第３の工程において、半導体素子が分散した液体をテンプレートが保持された基板をその主面内で回転させながら流すことが好ましい。
【００２１】
このようにすると、テンプレートの開口部に半導体素子が嵌め込まれる確率が高くなるので、実装工程のスループットが向上する。
【００２２】
本発明の半導体装置の製造方法は、第２の工程よりも前に、基板の主面上における各半導体素子が配置される部分に、各半導体素子に対してそれぞれ電気的な導通を図る複数の基板電極を形成する第４の工程をさらに備えていることが好ましい。
【００２３】
また、本発明の半導体装置の製造方法は、第２の工程と第３の工程との間に、基板の主面上におけるテンプレートの各開口部から露出する部分に、各半導体素子に対してそれぞれ電気的な導通を図る複数の基板電極を形成する第４の工程をさらに備えていることが好ましい。
【００２４】
この場合に、本発明の半導体装置の製造方法は、第３の工程よりも後に、各半導体素子を基板電極にそれぞれ固着した後、テンプレートを基板から取り除く第５の工程をさらに備えていることが好ましい。このようにすると、一度作製したテンプレートを再利用することができる。
【００２５】
本発明の半導体装置の製造方法において、各半導体素子は、レーザ光を端面から出射する端面出射型の半導体レーザ素子であり、第１の工程において、テンプレートの各開口部は、各半導体レーザ素子の出射方向が一方向に揃うように形成することが好ましい。
【００２６】
このようにすると、各半導体レーザ素子がテンプレートに設けた開口部にそれぞれ嵌め込まれるだけで、半導体レーザ素子ごとの活性層の位置と、半導体レーザ素子同士の発光点の間隔とが自己整合的に揃う。その上、複数の半導体レーザ素子を構成する材料（組成）がそれぞれ異なっている場合であっても集積化が可能となり、また、各開口部自体が各半導体レーザ素子の出射方向を揃えるため、光ピックアップ装置に用いた場合に結像するスポットの波面収差を許容範囲に確実に収めることができる。
【００２７】
この場合に、各半導体レーザ素子は、前端面からの光出力値と後端面からの光出力値とが同等であることが好ましい。
【００２８】
このようにすると、半導体レーザ素子における出射方向を選択する必要がなくなるため、半導体装置の製造が一層容易となる。
【００２９】
本発明の半導体装置の製造方法は、第１の工程において、テンプレートの各開口部は、各半導体素子が嵌め込まれる面側の形状に合わせて形成することが好ましい。
【００３０】
この場合に、各半導体素子は、開口部に嵌め込まれる面側の形状が互いに異なることが好ましい。このようにすると、複数の半導体素子のそれぞれをテンプレートに設けられた開口部に選択的に嵌め込むことができる。
【００３１】
さらに、この場合の複数の半導体素子はそれぞれ半導体発光素子であり、第１の工程において、テンプレートの各開口部は、各半導体発光素子における発光波長ごとに異なる形状とすることが好ましい。このようにすると、発光素子がレーザ素子である場合には、２波長レーザ素子アレイを得ることができる。
【００３２】
また、この場合の複数の半導体素子はそれぞれ半導体発光素子であり、第１の工程において、テンプレートの各開口部は、各半導体発光素子における光出力値ごとに異なる形状とすることが好ましい。このようにすると、発光素子がレーザ素子である場合には、書き込み用及び読み出し用のように用途別のレーザ素子アレイを得ることができる。
【００３３】
【発明の実施の形態】
本発明の一実施形態について図面を参照しながら説明する。
【００３４】
図１（ａ）〜図１（ｃ）は本発明の一実施形態に係る半導体レーザ装置であって、（ａ）は平面構成を示し、（ｂ）は正面構成を示し、（ｃ）は左側面構成を示している。
【００３５】
図１（ａ）及び図１（ｂ）に示すように、本実施形態に係る半導体レーザ装置１００は、例えばシリコン（Ｓｉ）からなる基板１０と、該基板１０の主面上に第１の基板電極２１を介在させて保持された第１の半導体レーザ素子１１と、基板１０の主面上に第２の基板電極２２を介在させると共に、第１のレーザ素子１１と互いのレーザ光の出射方向を揃えるように隣接して保持された第２のレーザ素子１２とを備えている。ここで、第１の半導体レーザ素子１１は、例えば赤外レーザ光を発光し、第２の半導体レーザ素子１２は、例えば赤色レーザ光を発光する。
【００３６】
第１及び第２の各半導体レーザ素子１１、１２の高さは約１２０μｍであり、長辺方向（出射方向）の長さは約８００μｍとし、短辺方向の長さは約３００μｍとしている。
【００３７】
なお、基板１０は、シリコンに限られず、ヒ化ガリウム（ＧａＡｓ）又は炭化シリコン（ＳｉＣ）等でも良く、熱伝導性に優れる材料が好ましい。また、基板１０を構成する材料は、機能ブロックの種類や、半導体レーザ装置１００の用途等に応じて適宜選択すれば良い。
【００３８】
また、第１の半導体レーザ素子１１及び第２の半導体レーザ素子１２の発光波長は、上記の組み合わせに限られず、例えば赤外、赤色及び青色のレーザ光のうちの２つを選択すれば良く、さらには、基板１０の主面上に４つ以上のレーザ素子を配置しても良い。
【００３９】
半導体レーザ装置１００は、例えば、光ディスクの読み出し又は書き込みに用いる光ピックアップ装置（図示せず）に適用可能である。本実施形態においては、各半導体レーザ素子１１、１２は共に、レーザ光を半導体層の端面から出射する、いわゆる端面出射型の半導体レーザ素子であり、図１（ｂ）及び図１（ｃ）に示すように、各半導体レーザ素子１１、１２の各出射端面１１ａ、１２ａから出射される各レーザ光が光ピックアップ装置に搭載された対物レンズに入射するように配置されている。従って、各半導体レーザ素子１１、１２における出射端面１１ａ、１２ａの位置及びレーザ発光部１１ｃ、１２ｃの高さは揃えられている。
【００４０】
また、第１の半導体レーザ素子１１と第２の半導体レーザ素子１２とは、それぞれ、出射端面１１ａ、１２ａからの光出力値と後端面１１ｂ、１２ｂからの光出力値とが同等となるように設定されていても良い。
【００４１】
また、第１及び第２の各半導体レーザ素子１１、１２の平面形状は長方形に限られず、用途及び機能に応じて種々の形状とすることができる。例えば、各機能ブロックの平面形状は、正方形や円形等でも良く、また、平行四辺形、楕円形、長円形等の２回回転対称の対称性を有する形状、又は台形等の１回回転対称の対称性を有する形状であってもよい。但し、正方形状及び円形状の場合は、機能ブロック同士の出射方向を揃えることはやや困難となる。
【００４２】
また、第１の半導体レーザ素子１１と第２の半導体レーザ素子１２とは、互いの発光波長が同一で、且つ互いの光出力値が異なる構成であっても良い。
【００４３】
また、機能ブロック化された各半導体レーザ素子１１、１２の配置位置は本実施形態に限られず、左右が逆であってもよい。
【００４４】
なお、図示はしていないが、第１及び第２の半導体レーザ素子１１、１２に設ける素子電極のうち基板１０の主面側に露出する上面の素子電極については、ワイヤボンディングにより配線を形成する方法が比較的に簡便である。
【００４５】
（半導体レーザ装置の製造方法）
以下、前記のように構成された半導体レーザ素子１００の製造方法について図面を参照しながら説明する。
【００４６】
例えば、機能ブロック化された第１及び第２の各半導体レーザ素子１１、１２は、人手によっても、また組立装置によっても、基板１０の主面上に実装することは可能である。しかしながら、本発明は、前述したＦＳＡ法を用いることにより、しかも基板１０にリセス構造を設けることなく、それぞれ複数の第１及び第２のレーザ素子１１、１２の実装を可能とすることを目的としている。
【００４７】
図２は本実施形態に係る半導体レーザ装置の製造方法の一工程であって、ウエハ（基板）に設けるリセス構造に代わる配置パターン決定用のテンプレートを載置した状態のウエハの平面構成を示している。
【００４８】
図２に示すように、例えばシリコンからなる実装用のウエハ１０Ａの主面上には、ニッケル（Ｎｉ）又はその合金からなり、第１の開口部３０ａ及び第２の開口部３０ｂが対をなし、且つアレイ状に設けられたテンプレート３０がウエハ１０Ａの主面上に保持されている。ここで、テンプレート３０は、ウエハ１０Ａとは、機械的に規制されるか又は剥離可能な粘着材により接着されるか等して保持される。また、これらのうちいずれの保持方法を選ぶかは、ウエハ、機能ブロック及び該機能ブロックを分散させる液体の種類に応じて適宜決定すれば良い。
【００４９】
第１の開口部３０ａ及び第２の開口部３０ｂは、図１（ａ）に示した第１及び第２の半導体レーザ素子１１、１２の配置パターンと対応するように設けられている。なお、テンプレート３０の厚さは、各半導体レーザ素子１１、１２の高さ（厚さ）と同等か小さくすることが好ましい。
【００５０】
なお、第１及び第２の各開口部３０ａ、３０ｂは、エッチング等の化学的な方法、又はパンチング等の機械的な方法により形成することができる。また、アディティブ法等により、めっきや蒸着によっても形成することができる。
【００５１】
また、テンプレート３０の平面形状（外形状）は、方形状に限られない。
【００５２】
ここで、テンプレート３０の変形例を説明する。
【００５３】
図３（ａ）及び図３（ｂ）は本実施形態に係るテンプレートの変形例の平面構成を示している。
【００５４】
図３（ａ）に示すように、第１変形例に係るテンプレート３０Ａは、第２の半導体レーザ素子１２の位置決めに用いる第２の開口部３０ｂの長辺方向の長さ寸法を、第１の半導体レーザ素子１１の位置決めに用いる第１の開口部３０ａの長辺方向の長さよりも小さくしている。従って、この場合は、第２の半導体レーザ素子１２自体の長辺方向の長さを第１の半導体レーザ素子のよりも短くする必要がある。このように、第１変形例によると、第１の半導体レーザ素子１１と第２の半導体レーザ素子１２との実装位置が逆になることがない。
【００５５】
また、図３（ｂ）に示すように、第２変形例に係るテンプレート３０Ｂは、第１変形例と同様に第２の開口部３０ｂの長辺方向の長さを小さくし、その上、各開口部３０ａ、３０ｂの平面形状を、それぞれ長方形の外側の１つの角部を切り落とすようにして五角形状とし、２回回転対称性を１回回転対称性に変えている。従って、この場合は、第１及び第２の半導体レーザ素子１１、１２自体の平面形状をそれぞれ対応する開口部３０ａ、３０ｂの開口形状と合わせる必要がある。これにより、第１及び第２の各半導体レーザ素子１１、１２におけるそれぞれの基板１０上における実装位置が一意に決定される。
【００５６】
一般に、高出力レーザ素子は、該レーザ素子の出射端面側と後端面側とにおいてレーザ光の光出力値（パワー）が大きく異なるため、出射端面と後端面とを確実に区別する必要がある。
【００５７】
従って、本実施形態においては、第１及び第２の半導体レーザ素子１１、１２に対して、テンプレート３０Ｂに設ける各開口部３０ａ、３０ｂに嵌め込まれる部分の平面形状に点対称性をなくすと共に、開口部３０ａ、３０ｂ同士の形状（大きさ）をも異ならせている。
【００５８】
ここでは、一例として、第２変形例に係るテンプレート３０Ｂを用いて半導体レーザ素子を実装することにより、アレイ構造を持つ半導体レーザ装置を製造する方法を説明する。
【００５９】
図４（ａ）〜図４（ｄ）は本実施形態に係る半導体レーザ装置の製造方法であって、複数の半導体レーザ素子の実装方法の工程順の断面構成を示している。
【００６０】
まず、図４（ａ）に示すように、例えばシリコンからなるウエハ１０Ａの主面上における第１の半導体レーザ素子及び第２の半導体レーザ素子の各配置位置に、半田材等の低融点金属からなる第１の基板電極２１及び第２の基板電極２２をそれぞれ選択的に形成する。基板電極２１、２２の形成には、例えば半田印刷法を用いても良く、また、リソグラフィ法により電極パターンを開口部に持つレジストパターンを形成し、形成したレジストパターンの全面に低融点金属を堆積した後、該レジストパターンを除去するリフトオフ法を用いても良い。なお、ここでは、ウエハ１０Ａにおける一対の半導体レーザ素子１１、１２の実装部分のみを示している。
【００６１】
次に、図４（ｂ）に示すように、第１の基板電極２１及び第２の基板電極２２が形成されたウエハ１０Ａの主面上に、テンプレート３０Ｂに形成された第１の開口部３０ａ及び第２の開口部３０ｂから、ウエハ１０Ａ上に設けられた第１の基板電極２１及び第２の基板電極２２がそれぞれ露出するように位置合わせを行ない、図３に示すテンプレート３０Ｂを機械的な規制によって保持する。
【００６２】
なお、本実施形態においては、ウエハ１０Ａに基板電極２１、２２を形成した後に、テンプレート３０Ｂをその主面上に保持したが、これに代えて、テンプレート３０Ｂをウエハ１０Ａ上に保持した後に、ウエハ１０Ａにおけるテンプレート３０Ｂの各開口部３０ａ、３０ｂからの露出面上にそれぞれ基板電極２１、２２を形成しても良い。このようにすると、それぞれ対応するウエハ１０Ａ上の各基板電極２１、２２と、テンプレート３０Ｂの各開口部３０ａ、３０ｂとの位置合わせを行なう必要がなくなるので好ましい。
【００６３】
次に、ＦＳＡ法により、機能ブロック化された第１の半導体レーザ素子１１及び第２の半導体レーザ素子１２をテンプレート３０Ｂの第１の開口部３０ａ及び第２の開口部３０ｂに順次嵌め込む。
【００６４】
ＦＳＡ法は、機能ブロックを水（Ｈ２Ｏ　）又はメチルアルコール（ＣＨ３ＯＨ　）等の液（媒体）中に分散させるため、２波長レーザ素子アレイを組み立てる場合には、テンプレート３０Ｂに設けた第１の開口部３０ａ及び第２の開口部３０ｂのように、互いの開口形状を異ならせることが好ましい。
【００６５】
また、互いの平面形状が異なるように形成された半導体レーザ素子１１、１２を実装する場合には平面寸法が大きいレーザ素子、すなわち、第１の半導体レーザ素子１１から先に嵌め込むことが望ましい。なぜなら、平面寸法が小さい第２の半導体レーザ素子１２から先に嵌め込むと、第２の半導体レーザ素子１２が、それよりも平面寸法が大きい第１の開口部３０ａにも嵌まってしまうからである。
【００６６】
ここで、各半導体レーザ素子１１、１２を基板に実装する実装（ＦＳＡ）装置の概略を説明する。
【００６７】
図５はそれぞれ機能ブロック化された複数の半導体レーザ素子１１、１２を実装する実装装置を模式的に示している。
【００６８】
図５に示すように、本実施形態に係る実装装置は、機能ブロック化された複数の半導体レーザ素子が分散してスラリ化した液を収納する容器５０と、該容器５０の底部に回転可能に設置され、その上面にウエハ１０Ａを保持するウエハ保持具５１と、スラリ化した液を循環するポンプ部６０とから構成されている。ここで、ウエハ保持具５１の上面は液面に対して斜めに位置するように設けられている。
【００６９】
ポンプ部６０は、スラリ化した液が、ガス導入口６１から例えば窒素ガスを導入することにより容器５０の内部を循環し、さらに循環した液がウエハ保持具５１の上面に注がれるように設けられている。
【００７０】
続いて、ウエハ保持具５１の上に、複数の第１の開口部３０ａ及び複数の第２の開口部が形成されたテンプレート３０Ｂが載置されたウエハ１０Ａを保持する。
【００７１】
その後、複数の半導体レーザ素子１１が分散してスラリ化した液を、ウエハ保持具５１の上面に斜めの状態で保持されたウエハ１０Ａの主面に、ウエハ保持具５１を保持面内で回転させながら注ぐ。これにより、テンプレート３０Ｂに設けられた複数の第１の開口部３０ａに第１の半導体レーザ素子１１がそれぞれ嵌め込まれる。このスラリ状の液はポンプ６０で循環されるため、第１の開口部３０ａに嵌まらなかった半導体レーザ素子１１は回収され、何度も利用することができる。本実施形態においては、液中に保持されたウエハ１０Ａをその主面内で回転させるため、第１の半導体レーザ素子１１をテンプレート３０Ｂの第１の開口部３０ａに効率良く嵌め込むことができる。
【００７２】
次に、テンプレート３０Ｂにおける複数の第１の開口部３０ａへの実装が完了したことを確認した後、今度は、機能ブロック化された複数の第２の半導体レーザ素子１２が分散してスラリ化した液を用いて、テンプレート３０Ｂに設けられた複数の第２の開口部３０ｂに第２の半導体レーザ素子１２をそれぞれ嵌め込むことにより、図４（ｃ）に示す状態を得る。続いて、第１及び第２の各基板電極２１、２２を加熱して、各半導体レーザ素子１１、１２をウエハ１０Ａと固着し、その後、テンプレート３０Ｂをウエハ１０Ａから取り除く。
【００７３】
次に、ウエハ１０Ａにおける複数の半導体レーザ装置同士を区画するダイシングライン（図示せず）に沿って、ダイシングソー等によりそれぞれ切り出すことにより、図４（ｄ）に示す半導体レーザ装置１００を得る。
【００７４】
以上説明したように、本実施形態によると、互いに発光波長が異なり且つ機能ブロック化された半導体レーザ素子１１、１２は、レーザ光の出射方向が互いに平行となるように配置されるため、各レーザ発光部１１ｃ、１２ｃが自己整合的に整列するので、レーザ光の光学系で発生する波面収差を確実に低減することができる。
【００７５】
また、本実施形態に係る半導体レーザ装置の製造方法によると、ＦＳＡ法を用いることにより、各半導体レーザ素子１１、１２の位置合わせを自己整合的に行なえるため、実装のプロセスが極めて簡便となる。その上、良品と判定された半導体レーザ素子１１、１２のみを実装することができるため、半導体レーザ装置１００のコストを低減することができ且つ歩留まりも向上する。
【００７６】
その上、本実施形態の特徴として、半導体レーザ素子１１、１２を実装するウエハ１０Ａには、各素子１１、１２を嵌め込んで位置決めを行なうリセス構造を設けないため、ウエハ１０Ａにリセス構造を形成するプロセスが不要となり、実装工程におけるスループットが格段に向上する。
【００７７】
なお、ウエハ１０Ａにリセス構造を設ける工程が不要となる代わりに、半導体レーザ素子の実装位置を決定するテンプレート３０等を作製する工程が必要となるが、該テンプレートは一度作製すると繰り返して利用することができるため、この点からも実装工程の生産性は向上する。
【００７８】
また、本発明は半導体レーザ装置に限られず、発光ダイオード素子や他の機能素子を基板上に実装する半導体デバイスに適用することができる。
【００７９】
【発明の効果】
本発明に係る半導体装置の製造方法によると、半導体素子を配置する基板の主面上に該半導体素子を嵌め込むリセス構造を直接に設ける必要がなくなるため、形成が困難なリセス構造を基板に形成する必要がなくなるので、複数の半導体素子をハイブリッドに集積化する半導体装置を容易に且つ確実に実装できるようになる。
【図面の簡単な説明】
【図１】（ａ）〜（ｃ）は本発明の一実施形態に係る半導体レーザ装置を模式的に示し、（ａ）は平面図であり、（ｂ）は正面図であり、（ｃ）は左側面図である。
【図２】本発明の一実施形態に係る半導体レーザ装置の製造方法の一工程であって、実装用のウエハに設けるリセス構造に代わる配置パターン決定用のテンプレートを載置した状態のウエハを示す平面図である。
【図３】（ａ）及び（ｂ）は本発明の一実施形態に係る半導体レーザ装置の製造方法に用いるテンプレートを示し、（ａ）は第１変形例に係る平面図であり、（ｂ）は第２変形例に係る平面図である。
【図４】（ａ）〜（ｄ）は本発明の一実施形態に係る半導体レーザ装置の製造方法を示す工程順の構成断面図である。
【図５】本発明の一実施形態に係る半導体レーザ装置の製造方法に用いる実装（嵌め込み）装置を示す模式的な構成図である。
【符号の説明】
１００　　　半導体レーザ装置
１０Ａ　　　ウエハ
１０　　　　基板
１１　　　　第１の半導体レーザ素子
１１ａ　　　出射端面
１１ｂ　　　後端面
１１ｃ　　　レーザ発光部（発光点）
１２　　　　第２の半導体レーザ素子
１２ａ　　　出射端面
１２ｂ　　　後端面
１２ｃ　　　レーザ発光部（発光点）
２１　　　　第１の基板電極
２２　　　　第２の基板電極
３０　　　　テンプレート
３０Ａ　　　テンプレート
３０Ｂ　　　テンプレート
５０　　　　容器
５１　　　　ウエハ保持具
６０　　　　ポンプ部
６１　　　　ガス導入口
【図１】
2004119845.tif 000003
【図２】
2004119845.tif 000004
【図３】
2004119845.tif 000005
【図４】
2004119845.tif 000006
【図５】
2004119845.tif 000007